(57)【要約】【要  約】【課  題】  袋とじを有する雑誌を買った人が袋とじを切り開く場合、カッターを持っていれば良いが、大方の人がカッターを持っていない場合が多い。そこで袋とじに指をいれてカッター替わりにすることが多い。指で袋とじを開くと、指で切断した部分が直線状にならず、みにくい状態となる。【解決手段】  冊子本体に袋とじを設けるとともに、冊子本体の一紙面に前記袋とじを切り開くためのカッターとなる切取部を、この切取部を容易に切り取ることができるように加工された切取線で囲んで形成した。【選択図】        図２
2006043918.tif 000002
【特許請求の範囲】
【請求項１】
冊子本体に袋とじを設けるとともに、冊子本体の一紙面に前記袋とじを切り開くためのカッターとなる切取部を、この切取部を容易に切り取ることができるように加工された切取線で囲んで形成したことを特徴とする冊子。
【請求項２】
前記一紙面は袋とじの紙よりも腰のある紙又は樹脂フィルムによって構成されていることを特徴とする請求項１記載の冊子。
【請求項３】
前記切取部を冊子本体の裏表紙に設けたことを特徴とする請求項１記載の冊子。
【請求項４】
前記切取線はミシン目であることを特徴とする請求項１記載の冊子。
【請求項５】
前記切取部を前記裏表紙の右下隅に形成したことを特徴とする請求項１記載の冊子。
【請求項６】
前記切取部に広告を載せたことを特徴とする請求項１記載の冊子。
【発明の詳細な説明】
【技術分野】
【０００１】
本発明は袋とじを有する雑誌等の冊子に関するものである。
【背景技術】
【０００２】
雑誌の本体部分に袋とじを設けることがある。この袋とじは店頭などで立ち読みして見られたくない内容を載せる場合に利用されている。特開平７−137480号公報に示されているように袋とじを容易に切り開けられるよう切断部分にミシン目を入れることも実施されている。
【特許文献１】特開平７−１３７４８０号公報
【発明の開示】
【発明が解決しようとする課題】
【０００３】
この袋とじを有する雑誌を買った人が袋とじを切り開く場合、カッターを持っていれば良いが、大方の人がカッターを持っていない場合が多い。そこで袋とじに指をいれてカッター替わりにすることが多い。指で袋とじを開くと、指で切断した部分が直線状にならず、みにくい状態となる。また、袋とじの切断部分にミシン目があれば、指で慎重に切っていけば直線状に袋とじを切り開くことができる。ところが、急いで切り開こうとすると横方向に破れることもある。また、ミシン目を入れるのにコストがかかるという問題もあるので、ミシン目を入れないことが多い。
【０００４】
そこで、本発明は特別にカッターを持っていなくても袋とじを容易に切り開くことができる冊子を提供することを目的とする。
【課題を解決するための手段】
【０００５】
本発明の冊子は、冊子本体に袋とじを設けるとともに、冊子本体の一紙面に前記袋とじを切り開くためのカッターとなる切取部を、この切取部を容易に切り取ることができるように加工された切取線で囲んで形成したことを特徴とする。
また、前記一紙面は袋とじの紙よりも腰のある紙又は樹脂フィルムによって構成されていることを特徴とする。
【０００６】
また、前記切取部を冊子本体の裏表紙に設けたことを特徴とする。
また、前記切取線はミシン目であることを特徴とする。
また、前記切取部を前記裏表紙の右下隅に形成したことを特徴とする。
さらに前記切取部に広告を載せたことを特徴とする。
【発明の効果】
【０００７】
冊子本体に設けた切取部を切り取って、これをカッター替わりに用いることにより、冊子本体に設けた袋とじを容易に且つ、正確に切り開くことができる。切取部を裏表紙にミシン目を入れて形成すれば容易に切取部を切り取ることができ、雑誌の場合はとくに裏表紙は腰が強いのでカッターとして十分使用することができる。切取部に広告を入れれば広告面としてより効果的に利用できる。
【発明を実施するための最良の形態】
【０００８】
以下本発明の実施例を図面を参照して説明する。
図２に示すように冊子本体1に袋とじ２を設ける。袋とじ２は冊子本体１の一部を構成する。この袋とじ２は、紙面ａ、b、c、dを連続した紙で作り、３の部分を袋とじ部とし、真中を針金４で閉じるようにする。
図１．２に示すように、冊子本体１の裏表紙５の右下隅にミシン目６を設けて切取部７を設ける。この切取部７には広告８を載せる。袋とじ２には「裏表紙の右下隅を切り取ってカッターとして使用し、袋とじを切り開いてください」と記載しておく。この切取部７をミシン目６によって切り離し、これをカッター替わりにして袋とじ２の切り開き部３を切り開く。
【０００９】
冊子として雑誌を用いた場合、その裏表紙は袋とじ２の紙よりも厚くて腰が強く、袋とじ２の切り開き部３を容易に且つ、正確に切り開くことができる。
前記広告８は広告主の商標だけを大きく載せてもよく、商品とともに載せてもよく、さらに広告主がレストランであれば、「この切取部を持参の方、食事代金を１０％オフします」との記載とともにレストラン名、住所等を記載してもよい。
【００１０】
このように、雑誌を買った人が特別にカッターを持っていなくても、雑誌の裏表紙に設けた切取部７を切り取って、カッターとして使用することにより、袋とじを容易に且つ、正確に切り開くことができ、切取部７を広告面として使用すれば、カッターとして使用するとき目に付くので広告の効果は大きい。また、上述した「１０％オフ」のチケットとして利用する場合、財布にいれて一時保存するので、広告効果はより大きい。
【００１１】
図３は他の実施例であり、袋とじ２を別の小冊子として作ってこれを本体１に貼着したものである。この袋とじ２も冊子本体１の一部を構成する。
また、切取部７を冊子本体１の中に設けた特別の紙面に設けた状態を示している。さらに、袋とじ部３（切り開き部）には切り開きを容易にするためのミシン目を設けてもよいが、コストアップを考慮に入れると、ミシン目はあえて設ける必要はない。
【００１２】
尚、図１、図２、図３の実施例において、冊子は雑誌である場合が多いが、他の書籍でも実施することができる。
また、切取部７を設ける紙面は袋とじ２を構成する紙面よりも腰の強いものを用いればよい。切取部７を設ける紙面の厚さは一般的に袋とじ部分２を構成する紙面より厚いのが一般的であるが、薄い樹脂フィルムでもよい。
【００１３】
また、切取部７はミシン目６で囲まれて切り取りやすくされているが、ミシン目６でなくてもよく、例えば紙面を厚み方向に３分の２程度切って溝とした切取線であってもよい。要するに、切取部７を容易に切り取ることができるように加工された切取線で切取部７を囲んでおけばよい。
また、切取部７は冊子本体１の表紙に設けてもよい。さらに、切取部７は袋とじ部分２の一部を腰の強い紙面とし、ここに設けるようにしてもよい。この場合、袋とじ２の切り開き部３は普通の腰の弱い紙で構成することはもちろんである。
【産業上の利用可能性】
【００１４】
本発明は特に袋とじを有する雑誌に用いて有用である。
【図面の簡単な説明】
【００１５】
【図１】本発明の一実施例における冊子の裏表紙の平面図である。
【図２】同冊子の斜視図である。
【図３】同他の実施例の冊子の斜視図である。
【符号の説明】
【００１６】
１・・・冊子本体
２・・・袋とじ
３・・・切り開き部
４・・・針金
５・・・裏表紙
６・・・ミシン目
７・・・切取部
８・・・広告
【図１】
2006043918.tif 000003
【図２】
2006043918.tif 000004
【図３】
2006043918.tif 000005